(57)【要約】  本発明は、胚救助技術により百山祖冷杉の苗を短い時間で得ることが出来る方法を開示し、百山祖冷杉の絶滅の恐れが極めて高いという問題を解決することを目的とする。本発明は、百山祖自然保護区の野生百山祖冷杉の植物体の未成熟の球果を出発原料とし、表面を消毒した後、その未成熟の胚及び胚乳を取り、胚救助技術により野生百山祖冷杉の植物体の子孫を短い時間で得ることが出来、短時間で多くの百山祖冷杉の苗を取得できる。本発明は、百山祖冷杉の未成熟の胚を３０日培養して、多くの百山祖冷杉の苗を取得することによって、百山祖冷杉の苗の育成速度を加速し、百山祖冷杉が自然条件で絶滅寸前にさらされている現状を改善するという利点がある。該方法は、操作性が高く、簡単かつ効率的で、汚染率が低く、世界で絶滅の危険にさらされている植物苗の迅速育成に対して重要な意義を持っている。【選択図】図１
2021502052.tif 000002
【特許請求の範囲】
【請求項１】
百山祖冷杉の植物体における未成熟の球果を収集するステップ（１）と、
未成熟のシードを取って表面滅菌を行うステップ（２）と、
解剖メスで未成熟のシードを切り、未成熟の胚を取って培地に接種し、水平置きにして、２０±２℃の暗黒条件において３日間培養するステップ（３）と、
暗培養後、胚が発芽するまで、光照射強度が２０μｍｏｌ・ｍ−２・ｓ−１、光照射時間が１２ｈ／ｄの弱光条件において培養するステップ（４）と、
胚が発芽した後、光照射強度が８０μｍｏｌ・ｍ−２・ｓ−１、光照射時間が１２ｈ／ｄの正常光照射条件において１０日間培養してから、苗を胚乳から分離して培地に接種して温度２０±２℃、光照射強度８０μｍｏｌ・ｍ−２・ｓ−１、光照射時間１２ｈ／ｄを培養条件として保存するステップ（５）と、
を含むことを特徴とする胚救助技術により百山祖冷杉の苗を短い時間で得る方法。
【請求項２】
前記ステップ（１）では、前記未成熟の球果の形態特徴は、球果が緑色であることとなることを特徴とする請求項１に記載の胚救助技術により百山祖冷杉の苗を短い時間で得る方法。
【請求項３】
前記ステップ（２）では、前記表面滅菌プロセスは、未成熟のシードを流水下で３ｈ洗浄し、洗浄後にクリーンベンチにおいて７０体積％のエタノール水溶液に浸漬して３０ｓ振とうさせ、無菌水で１ｍｉｎずつ３回洗浄し、０．１質量％の塩化水銀の水溶液に浸漬して１０ｍｉｎ振とうさせた後、無菌水で１ｍｉｎずつ５回洗浄し、最後に無菌濾紙でシード表面の過剰な水分を取ることとなることを特徴とする請求項１に記載の胚救助技術により百山祖冷杉の苗を短い時間で得る方法。
【請求項４】
前記ステップ（３）では、前記未成熟の胚を取る方法は、左手が無菌ピンセットを用いて未成熟のシードを固定し、右手が無菌解剖メスを用いて種皮の縁から０．５ｍｍの箇所にそれぞれスリットカットとクロスカットを行い、ピンセットで種皮を未成熟の胚及びその胚乳から分離することとなることを特徴とする請求項１に記載の胚救助技術により百山祖冷杉の苗を短い時間で得る方法。
【請求項５】
前記ステップ（３）とステップ（５）では、培地は、ＤＣＲ（Ｇｕｐｔａ  ａｎｄ Ｄｕｒｚａｎ  ｍｅｄｉｕｍ）を基本培地とし、さらに蔗糖、寒天、加水分解カゼイン等が添加されるものとなり、蔗糖、寒天、加水分解カゼインの濃度は、それぞれ２０ｇ／Ｌ、８ｇ／Ｌ、５００ｍｇ／Ｌであり、培地のｐＨは、５．８であることを特徴とする請求項１に記載の胚救助技術により百山祖冷杉の苗を短い時間で得る方法。
【請求項６】
前記ステップ（４）では、前記胚が発芽する形態的特徴は、幼根又は子葉が胚乳から伸びることとなることを特徴とする請求項１に記載の胚救助技術により百山祖冷杉の苗を短い時間で得る方法。
【請求項７】
前記ステップ（５）では、前記苗の分離方法は、滅菌した解剖メスで胚乳を縦方向に切った後、苗を胚乳から分離することとなることを特徴とする請求項１に記載の胚救助技術により百山祖冷杉の苗を短い時間で得る方法。
【発明の詳細な説明】
【技術分野】
【０００１】
本発明は、胚救助技術により、百山祖冷杉の苗を短い時間で得ることが出来、迅速的増殖することを可能し、それにより百山祖冷杉絶滅危険の問題を解決した。
【背景技術】
【０００２】
百山祖冷杉（Ａｂｉｅｓｂｅｓｈａｎｚｕｅｎｓｉｓ）は、マツ科（Ｐｉｎａｃｅａｅ）モミ属（Ａｂｉｅｓ）植物であり、高さが１７メートル、胸高直径が８０センチの常緑高木である。秋の果実は、円筒状であり、短いステムを有し、長さ７〜１２センチ、直径３．５〜４センチであり、成熟時に淡褐色または淡褐黄色となる。５月に花が咲き、１１月に球果が成熟する。浙江省の特有の遺存植物である。江蘇省、浙江省、安徽省、福建省等で第三紀に幅広く分布しており、第四紀の氷期後に局部の地域でのみ今まで生きてきた希少種である。百山祖冷杉は、中国の重点一級保護植物であり、１９８７年に国際自然保護連合の種の保存委員会（ＳＳＣ）により世界で最も絶滅の危険にさらされている１２種類の植物の１つとして認められた。百山祖冷杉は、百山祖の自然保護区の標高約１７４０メートルの風よけの狭い谷に自然分布し、中国の大陸東南部の唯一のモミ属植物であり、第四紀氷期に保存してきた生きた化石であり、地理学や気候学などの学科研究に対して非常に重要な意義を持っている。
【０００３】
自然条件において、百山祖冷杉は、球果の発育時間が長く、結実率が低い。球果が成熟した時に大量の胚の発育不全の現象が存在するため、正常に発育したシードの数が極めて少ない。また、百山祖冷杉は、生態系環境の影響により、天然更新が困難となり、連続的な生殖能力が非常に弱いなどの問題がある。従って、百山祖冷杉の苗を簡単、かつ短い時間で得る方法を構築することが急務となっている。胚救助技術は、育種研究において胚発育不全又は発育不良を解決し、発芽率を向上させ、及び早めに発芽させ、植物発育時間を縮むための有効な手段である。胚救助技術を用いて百山祖冷杉の苗を短い時間で得ることが出来、絶滅の危険にさらされている植物である百山祖冷杉が自然条件において繁殖しにくいことにより絶滅することを効果的に防止できる。
【発明の概要】
【発明が解決しようとする課題】
【０００４】
本発明の目的は、従来技術の不備に対して、胚救助技術により百山祖冷杉の苗を短い時間で得ることが出来る方法を提供することである。
【課題を解決するための手段】
【０００５】
本発明の目的は、以下の技術手段により達成される。
百山祖冷杉の植物体における未成熟の球果を収集するステップ（１）と、
未成熟のシードを取って表面滅菌を行うステップ（２）と、
解剖メスで未成熟のシードを切り、未成熟の胚を取って培地に接種して、水平に置き、２０±２℃の暗黒条件において３日間培養するステップ（３）と、
暗培養後、胚が発芽するまで、弱光条件（光照射強度２０μｍｏｌ・ｍ−２・ｓ−１、光照射時間１２ｈ／ｄ）において培養するステップ（４）と、
胚が発芽した後、正常光照射条件（光照射強度８０μｍｏｌ・ｍ−２・ｓ−１、光照射時間１２ｈ／ｄ）において１０日間培養してから、苗を胚乳から分離して培地に接種して温度２０±２℃、光照射強度８０μｍｏｌ・ｍ−２・ｓ−１、光照射時間１２ｈ／ｄを培養条件として保存するステップ（５）とを含む胚救助技術により百山祖冷杉の苗を短い時間で得ることが出来る方法。
【０００６】
さらに、前記ステップ（１）では、前記未成熟の球果の形態特徴は、球果が緑色であることとなる。
【０００７】
さらに、前記ステップ（２）では、前記表面滅菌プロセスは、未成熟のシードを流水下で３ｈ洗浄し、洗浄後にクリーンベンチにおいて７０体積％のエタノール水溶液に浸漬して３０ｓ振とうさせ、無菌水で１ｍｉｎずつ３回洗浄し、０．１質量％の塩化水銀の水溶液に浸漬して１０ｍｉｎ振とうさせ、無菌水で１ｍｉｎずつ５回洗浄し、最後に無菌濾紙でシード表面の過剰な水分を取ることとなる。
【０００８】
さらに、前記ステップ（３）では、前記した未成熟の胚を取る方法は、左手が無菌ピンセットを用いて未成熟のシードを固定し、右手が無菌解剖メスを用いて種皮の縁から０．５ｍｍの箇所にそれぞれスリットカットとクロスカットを行い、ピンセットで種皮を未成熟の胚及びその胚乳から分離することとなる。
【０００９】
さらに、前記ステップ（３）とステップ（５）では、培地は、ＤＣＲ（Ｇｕｐｔａ  ａｎｄ  Ｄｕｒｚａｎ  ｍｅｄｉｕｍ）を基本培地とし、さらに蔗糖、寒天、加水分解カゼイン等が添加されるものとなり、蔗糖、寒天、加水分解カゼインの濃度は、それぞれ２０ｇ／Ｌ、８ｇ／Ｌ、５００ｍｇ／Ｌであり、培地のｐＨは、５．８である。
【００１０】
さらに、前記ステップ（４）では、前記胚が発芽する形態的特徴は、幼根又は子葉が胚乳から伸びることとなる。
【００１１】
さらに、前記ステップ（５）では、前記苗の分離方法は、滅菌した解剖メスで胚乳を縦方向に切った後、苗を胚乳から分離することとなる。
【発明の効果】
【００１２】
本発明の利点は以下のとおりである。本発明では、未成熟の胚である外植体を用いて胚救助技術により培養することによって、自然条件においてシードの胚発育不全の欠陥を解決し、短時間で多くの百山祖冷杉の苗を迅速に取得できる。該方法は、操作性が強く、簡単かつ効率的で、汚染率が低く、世界で絶滅の危険にさらされている植物苗の迅速育成に対して重要な意義を持っている。
【図面の簡単な説明】
【００１３】
【図１】野生百山祖冷杉の植物体における未成熟の球果である。
【図２】培養用の百山祖冷杉の外植体−未成熟の胚及び胚乳の図である。
【図３】百山祖冷杉の未成熟の胚の培養後の発芽図である。
【図４】発芽した苗の成長図である。
【発明を実施するための形態】
【００１４】
以下、実施例を参照して本発明についてさらに説明する。
【００１５】
実施例１：
材料：本実例では、百山祖冷杉の未成熟の胚及び胚乳を培養外植体とする。
【００１６】
ステップ（１）：材料の準備
７月下旬〜８月上旬に、百山祖自然保護区で、表面に種鱗や包鱗が緊密に配列されている百山祖冷杉の緑色未成熟の球果を収集した。密封パックに入れ、４℃の低温で貯蔵しておく。
【００１７】
ステップ（２）：シードの表面滅菌
ピンセットで種鱗とシードを分離し、シードを流水下で３ｈ洗浄し、クリーンベンチにおいて７０％のエタノールで３０ｓ処理し、無菌水で３〜５回洗浄し、０．１ｗｔ％の塩化水銀で１０ｍｉｎ処理して、無菌水で３〜５回洗浄して無菌濾紙で表面水分を吸いつくした。
【００１８】
ステップ（３）：未成熟の胚の分離と接種
洗浄後のシードを滅菌した濾紙の敷かれたシャーレに置き、左手が無菌ピンセットを用いて未成熟のシードを固定し、右手が無菌解剖メスを用いて種皮の縁から０．５ｍｍの箇所にそれぞれスリットカットとクロスカットを行い、ピンセットで種皮を未成熟の胚及びその胚乳から分離した（図１）。未成熟の胚及びその胚乳を取って培地に接種して、水平に置いた。培地は、ＤＣＲ（Ｇｕｐｔａ  ａｎｄ  Ｄｕｒｚａｎ  ｍｅｄｉｕｍ）を基本培地とし、さらに蔗糖、寒天、加水分解カゼイン等が添加されるものとなり、蔗糖、寒天、加水分解カゼインの濃度は、それぞれ２０ｇ／Ｌ、８ｇ／Ｌ、５００ｍｇ／Ｌであり、培地のｐＨは、５．８であった。
【００１９】
ステップ（４）：暗培養と従属栄養期培養
接種後の未成熟の胚及びその胚乳を２０±２℃の暗黒条件において３ｄ培養し、光照射強度２０μｍｏｌ・ｍ−２・ｓ−１、光照射時間１２ｈ／ｄという弱光光照射条件において１０日培養すると、シードが発芽した。
【００２０】
ステップ（５）：独立栄養期培養
培養後の未成熟の胚の発芽率が９５％以上に達した（図２）。次に苗を胚乳から分離して培地に接種して独立栄養期培養と保存を行い、培地は、ＤＣＲ（Ｇｕｐｔａ  ａｎｄ  Ｄｕｒｚａｎ  ｍｅｄｉｕｍ）を基本培地とし、さらに蔗糖、寒天、加水分解カゼイン等が添加されるものとなり、蔗糖、寒天、加水分解カゼインの濃度は、それぞれ２０ｇ／Ｌ、８ｇ／Ｌ、５００ｍｇ／Ｌ、培地のｐＨは、５．８であった。培養条件は、温度２０±２℃、光照射強度８０μｍｏｌ・ｍ−２・ｓ−１、光照射時間１２ｈ／ｄであった。１５日培養した後の苗は図３に示されており、これから分かるように、本方法により、短時間で多くの百山祖冷杉無菌苗を取得し、絶滅の危険にさらされている植物百山祖冷杉の迅速育成に用いることができる。
【図１】
2021502052.tif 000003
【図２】
2021502052.tif 000004
【図３】
2021502052.tif 000005
【図４】
2021502052.tif 000006
【国際調査報告】
2021502052.tif 000007
2021502052.tif 000008